(57)【要約】【課題】アナログ及びデジタル信号の信号強度を大きくして、アナログ及びデジタル放送サービスの受信可能地域を広くすることができる、サイマルキャスト信号、その生成装置、生成方法、及びコンピュータプログラムを提供する。【解決手段】安定したピーク減衰型サイマルキャスト信号を生成する、ピーク減衰型サイマルキャスト信号生成装置及び方法であって、デジタル放送信号及びアナログ放送信号を合成する。サイマルキャスト信号生成装置は、安定したサイマルキャスト信号を得るために、デジタル放送信号及び／又はアナログ放送信号を減衰させる減衰ステージを少なくとも１つ備えている。各減衰ステージは、誤り信号を生成するサイマルキャスト信号生成器、及び誤り信号に基づいて、アナログ及びデジタル放送信号の少なくとも一方を減衰させる減衰手段を備えている。【選択図】　図１
2004007668.tif 000002
【特許請求の範囲】
【請求項１】
送信用の最終的サイマルキャスト信号を生成する最終的サイマルキャスト信号生成器を有する、デジタル放送信号及びアナログ放送信号用のピーク減衰型サイマルキャスト信号生成装置において、
初期減衰ステージが、
前記デジタル放送信号及びアナログ放送信号から、第１の誤り信号を生成する、第１のサイマルキャスト信号生成器と、
前記第１の誤り信号に基づいて、前記デジタル放送信号及びアナログ放送信号の少なくとも一方を減衰させて、第１の減衰信号を生成し、前記第１の減衰信号に基づいて、前記最終的サイマルキャスト信号が生成されるようにした第１の減衰手段を具備することを特徴とするピーク減衰型サイマルキャスト信号生成装置。
【請求項２】
前記第１の減衰ステージは、遅延素子を具備し、その遅延素子は、前記第１のサイマルキャスト信号生成器及び前記第１の減衰手段による処理時間を補填する各遅延時間分だけ、前記放送信号を遅延させることを特徴とする請求項１に記載のピーク減衰型サイマルキャスト信号生成装置。
【請求項３】
さらにＭ個の追加減衰ステージを具備し、各追加減衰ステージは、
先行減衰信号から、第２の誤り信号を生成する第２のサイマルキャスト信号生成器と、
前記第２の誤り信号に基づいて、前記先行減衰信号の少なくとも１つを減衰させて、第２のさらに減衰された信号を生成し、前記第２の減衰信号に基づいて、前記最終的サイマルキャスト信号が生成されるようにする第２の減衰手段とを備え、
ここで、Ｍは０（零）を含む正の整数であり、最終的サイマルキャスト信号の所望の安定度及び／又は各減衰ステージの減衰度に従って確定されることを特徴とする請求項１又は２に記載のピーク減衰型サイマルキャスト信号生成装置。
【請求項４】
前記追加減衰ステージは、遅延素子を具備し、その遅延素子は、前記第２サイマルキャスト信号生成器及び前記第２の減衰手段による処理時間を補填する各遅延時間分だけ、先行減衰信号を遅延させることを特徴とする請求項３に記載のピーク減衰型サイマルキャスト信号生成装置。
【請求項５】
前記ピーク減衰ステージは、乗算器を具備し、その乗算器は、前記先行減衰信号又は前記放送信号の少なくとも１つを重み付け信号で乗算することを特徴とする請求項１乃至４のいずれか１項に記載のピーク減衰型サイマルキャスト信号生成装置。
【請求項６】
前記デジタル放送信号がＤＲＭ信号であることを特徴とする請求項１乃至５のいずれか１項に記載のピーク減衰型サイマルキャスト信号生成装置。
【請求項７】
前記アナログ放送信号が、振幅変調された音声放送信号であることを特徴とする請求項１乃至６のいずれか１項に記載のピーク減衰型サイマルキャスト信号生成装置。
【請求項８】
前記第１及び第２のサイマルキャスト信号生成器は、それぞれが、
デジタル信号を、送信チャンネルの搬送波の一方の側波帯に変調する第１の変調器と、
訂正信号を、送信チャンネルの搬送波の他方の側波帯に変調する第２の変調器と、
前記両側波帯を加算する第１の加算器を具備していることを特徴とする請求項１乃至７のいずれか１項に記載のピーク減衰型サイマルキャスト信号生成装置。
【請求項９】
デジタル放送信号及びアナログ放送信号から、ピーク減衰型サイマルキャスト信号を生成するピーク減衰型サイマルキャスト信号生成方法において、
第１のサイマルキャスト信号生成器によって、前記デジタル放送信号及びアナログ放送信号から、第１の誤り信号を生成するステップと、
該第１の誤り信号が、所定閾値を超えているかどうかを判断するステップと、
前記第１の誤り信号が大きすぎるとき、前記アナログ放送信号及び前記デジタル放送信号の少なくとも一方を減衰させて、第１の減衰信号を生成するステップと、
該第１の減衰信号に基づいて、送信用の最終的サイマルキャスト信号を生成するステップを有するピーク減衰型サイマルキャスト信号生成方法。
【請求項１０】
前記第１のサイマルキャスト信号生成器及びそれに続く処理部による処理時間を補填する各遅延時間分だけ、前記放送信号を遅延させることを特徴とする請求項９に記載のピーク減衰型サイマルキャスト信号生成方法。
【請求項１１】
前記第１の減衰信号から、第２のサイマルキャスト信号生成器によって、第２の誤り信号を生成するステップと、
前記第２の誤り信号に基づいて、前記先行減衰信号の少なくとも１つを減衰させて、第２のさらに減衰された信号を生成し、前記第２の減衰された信号に基づいて、前記最終的サイマルキャスト信号が生成されるステップとを有し、
これによって、全手順はＭ回繰り返され、ここで、Ｍは０（零）を含む正の整数であり、最終的サイマルキャスト信号の所望の安定度及び／又は各減衰ステージの減衰度に従って確定されることを特徴とする請求項９又は１０に記載のピーク減衰型サイマルキャスト信号生成方法。
【請求項１２】
前記第２サイマルキャスト信号生成器及びそれに続く処理部による処理時間を補填する各遅延時間分だけ、先行減衰信号を遅延させることを特徴とする請求項９乃至１１のいずれか１項に記載のピーク減衰型サイマルキャスト信号生成方法。
【請求項１３】
前記放送信号又は前記先行減衰信号の少なくとも１つを、重み付け信号で乗算することを特徴とする請求項９乃至１２のいずれか１項に記載のピーク減衰型サイマルキャスト信号生成方法。
【請求項１４】
前記デジタル放送信号がＤＲＭ信号であることを特徴とする請求項９乃至１３のいずれか１項に記載のピーク減衰型サイマルキャスト信号生成方法。
【請求項１５】
前記アナログ放送信号が、振幅変調された音声放送信号であることを特徴とする請求項９乃至１４のいずれか１項に記載のピーク減衰型サイマルキャスト信号生成方法。
【請求項１６】
前記サイマルキャスト信号が、デジタル信号とアナログ信号とを１つの送信チャンネルに合成することにより生成されることによって、
デジタル信号が、送信チャンネルの搬送波の一方の側波帯に変調され、
訂正信号が、送信チャンネルの搬送波の他方の側波帯に変調され
訂正信号が、送信チャンネルの包絡線復調が、アナログ入力信号を表わすように選択されることを特徴とする請求項９乃至１５のいずれか１項に記載のピーク減衰型サイマルキャスト信号生成方法。
【請求項１７】
前記サイマルキャスト放送信号が、請求項９乃至１６のいずれか１項に記載のピーク減衰型サイマルキャスト信号生成方法で生成され、デジタル信号とアナログ信号とが１つの送信チャンネルに合成されたサイマルキャスト放送信号。
【請求項１８】
前記アナログ放送信号が、振幅変調された音声放送信号であることを特徴とする請求項１７に記載のサイマルキャスト放送信号。
【請求項１９】
前記デジタル放送信号がＤＲＭ信号であることを特徴とする請求項１７又は１８に記載のサイマルキャスト放送信号。
【請求項２０】
コンピュータ、デジタル信号処理器等で実行される場合に、請求項９乃至１６のいずれか１項に記載のピーク減衰型サイマルキャスト信号生成方法を実行するコンピュータプログラム手段を具備するコンピュータプログラム。
【発明の詳細な説明】
【０００１】
【発明の属する技術分野】
本発明は、ピーク減衰型サイマルキャスト信号生成装置、ピーク減衰型サイマルキャスト信号を生成する方法、及びサイマルキャスト放送信号に関する。
【０００２】
【従来の技術】
ＤＲＭ（Ｄｉｇｉｔａｌ　Ｒａｄｉｏ　Ｍｏｎｄｉａｌ）は、３０ＭＨｚ未満の放送帯でのデジタル放送サービスである。通常のアナログ放送と新しいデジタル放送サービスを同時に送信することは、ＤＲＭ方式の導入を簡易にするとともにその加速を図ることができる。その理由として、ＤＲＭ方式を導入するまでのあいだ、アナログ放送サービスの聴取者を失うことがないからである。
【０００３】
特許文献１（欧州特許出願ＥＰ−Ａ−０１１１８９０８．１（ＤＲＭ／ＡＭサイマルキャスト））は、サイマルキャスト送信信号及びサイマルキャスト信号生成器が、詳細に説明されている。この出願は本願の出願人によってなされたものであり、この出願の全ての内容は、ここに参照として本願に援用される。
【０００４】
【発明が解決しようとする課題】
デジタルＤＲＭ信号及びアナログ音声信号が、特許文献１（ＥＰ−Ａ−０１１１８９０８．１）において説明されているサイマルキャストモードによって、１チャンネルで同時に送信される場合、ＡＭピーク振幅又はＤＲＭピーク振幅が所定値を超えると、この方式は不安定になってしまう。この作用のため、アナログ信号とＤＲＭ信号の信号強度は、搬送波と比べて小さくなければならない。そのためにＡＭ信号とＤＲＭ信号の信号強度が比較的に小さくなり、受信可能地域が狭くなってしまう。
【０００５】
したがって、本発明の目的は、アナログ及びデジタル信号の信号強度を大きくして、アナログ及びデジタル放送サービスの受信可能地域を広くすることができるサイマルキャスト信号生成装置、サイマルキャスト信号を生成する方法、及びサイマルキャスト放送信号を提供するものである。
【０００６】
本発明の目的は、請求項１に記載のピーク減衰型サイマルキャスト信号生成装置、請求項９に記載のピーク減衰型サイマルキャスト信号を生成する方法、及び請求項１７に記載のサイマルキャスト放送信号により達成することができる。本発明の好ましい実施の形態は、各従属請求項においてそれぞれに定義されている。本発明に係るコンピュータプログラムは、請求項２０において定義されている。
【０００７】
【課題を解決するための手段】
本発明によれば、初期減衰ステージを備えた、デジタル放送信号及びアナログ放送信号用のピーク減衰型サイマルキャスト信号生成装置が提供される。ピーク減衰型サイマルキャスト信号生成装置は、最終的サイマルキャスト信号生成器を備えており、これは送信用の最終的なサイマルキャスト信号を生成するものである。さらに、初期減衰ステージは、放送信号から、第１の誤り信号を生成する第１のサイマルキャスト信号生成器と、第１の誤り信号に基づいて、放送される信号の少なくとも一方を減衰させて、第１の減衰信号を生成し、これに基づいて最終的サイマルキャスト信号が生成されるようにした第１の減衰手段とを備えている。
【０００８】
通常、ピーク振幅は、リミッタを使用して小さくされる。このリミッタは、スペクトルを広げるので、サイマルキャスト送信信号の生成には適さない。
【０００９】
本発明によって、基礎となるアナログ及びデジタル送信信号が最大信号強度を持ちながら、安定したサイマルキャスト信号の生成を可能とする。減衰する量は、サイマルキャスト信号の信号安定性を計る誤り信号に基づいて決められる。ちょうど必要な程度の減衰が、基礎となる信号に与えられる。
【００１０】
アナログ及び／又はデジタル放送信号を減衰させるためには、平滑化重み関数を用いるので、スペクトル歪みを回避することができる。サイマルキャスト信号は、アナログ及びデジタル送信信号の側波帯変調を行うために不可欠な場合にのみ減衰される。殆どの場合において、信号振幅が影響を受けることはない。
【００１１】
本発明の好ましい実施の形態によれば、第１の減衰ステージは、遅延素子を備えており、これは、第１のサイマルキャスト信号生成器及び前記第１の減衰手段による処理時間を補填する各遅延時間分だけ、放送信号を遅延させるためのものである。第１のサイマルキャスト信号生成器及び第１の減衰手段が費やす処理時間を正確に補填する場合、以降の信号減衰は、前の信号減衰と全く同相となる。したがって、ピーク減衰の度合いは、各送信状態のニーズに、正確に合わせることができ、位相ずれにより発生する歪みを回避することができる。
【００１２】
本発明の好ましい実施の形態によれば、ピーク減衰型サイマルキャスト信号生成装置は、Ｍ個の追加減衰ステージをさらに備えており、各追加減衰ステージは、先行減衰信号から、第２の誤り信号を生成する第２のサイマルキャスト信号生成器と、第２の誤り信号に基づいて、先行減衰信号の少なくとも一方を減衰させ、さらに減衰した第２の信号を生成する第２の減衰手段とを具備し、これに基づいて最終的サイマルキャスト信号が生成されることを特徴とする。ここで、Ｍは、０（零）を含む正の整数であり、最終的サイマルキャスト信号の所望の安定性に基づいて、及び／又は各減衰ステージの減衰度に基づいて決定される。安定したサイマルキャスト信号を得るための信号減衰の必要量は、追加の減衰ステージを用いて縦列的に減衰していくことにより求めることができる。減衰が十分ではない場合には、対応する誤り信号がサイマルキャスト信号の不安定さを示すので、追加の減衰ステージを動作させ、減衰を大きくすることができる。最適サイマルキャスト信号を得るためには、反復方法が重要である。安定したサイマルキャスト信号の実現時には、可能な限りの最大の信号強度が、サイマルキャスト信号内で得られることは確実である。その結果、アナログ及びデジタル放送サービスの受信可能な地域が広がるという利点がある。
【００１３】
追加の減衰ステージは、第２のサイマルキャスト信号生成器及び第２の減衰手段による処理時間を補填するそれぞれの遅延時間分だけ、先行した減衰信号を、遅延させる遅延素子を有することが好ましい。これにより、サイマルキャスト信号生成器の全ての信号が、同相に保持されるので、歪みが回避できる。さらに、異なる減衰ステージによる異なる減衰が、明確に定義された方法で重ね合わされる。
【００１４】
ピーク減衰ステージは、放送信号又は先行減衰信号の少なくとも一方を、重み付け信号で乗算する乗算器を有するのが好ましい。重み付け信号で乗算すると、異なる重み付けの手順の集約が簡単になる。平滑重み付け信号を使用することは、スペクトル歪みの原因にはならない。
【００１５】
デジタル放送信号は、ＤＲＭ信号であるのが好ましい。アナログ放送信号は、振幅変調された音声放送信号であることが、さらに好ましい。現在の時点では、従来のＡＭ技術から例えばＤＲＭのようなデジタル標準へと、技術的な移行が行われつつある。このため、両方の標準を同時に対応することができる変調技術が、極めて好ましい。
【００１６】
好ましくは、第１及び第２のサイマルキャスト信号生成器のそれぞれが第１の変調器、第２の変調器、第１の加算器を具備することである。第１の変調器は、デジタル信号を送信チャンネルの搬送波の一方の側波帯に変調し、第２の変調器は、訂正信号を送信チャンネルの搬送波の他方の側波帯に変調し、これにより、訂正信号は、送信チャンネルの包絡線復調が、サイマルキャスト信号生成器のアナログ入力信号を表わすようにして決定される。第１の加算器は前記両側波帯を加算する。
【００１７】
本発明に係るピーク減衰型サイマルキャスト信号生成方法は、デジタル放送信号及びアナログ放送信号から、ピーク減衰型サイマルキャスト信号を生成する方法である。本発明に係るピーク減衰型サイマルキャスト信号生成では、第１のステップとして、第１のサイマルキャスト信号生成器を用いて、前記放送信号から、第１の誤り信号を生成する。次のステップは、第１の誤り信号が、所定の閾値を超え、且つ該第１の誤り信号が大きすぎる場合に、前記アナログ又はデジタル放送信号の少なくとも一方を減衰させて、第１の減衰信号を生成することを決定するステップである。最後のステップは、送信用の最終的サイマルキャスト信号が、前記第１の減衰信号に基づいて生成されるステップである。
【００１８】
デジタル信号とアナログ信号とを１つの送信チャンネルに合成するサイマルキャスト放送信号は、上述の方法で生成されることが好ましい。
【００１９】
本発明に係るピーク減衰型サイマルキャスト信号生成方法は、ハードウェアの状態で実行される必要はない。本発明に係るピーク減衰型サイマルキャスト信号生成方法は、この方法を実行するコンピュータプログラムとしても実現することができ、このコンピュータプログラムは、コンピュータ、デジタル信号処理器などで実行される。
【００２０】
【発明の実施の形態】
以下、本発明に係るピーク減衰型サイマルキャスト信号生成装置、ピーク減衰型サイマルキャスト信号生成方法、サイマルキャスト放送信号及びコンピュータプログラムについて、図面を参照して説明する。図１は、（Ｍ＋１）個の減衰ステージを備えるピーク減衰型サイマルキャスト信号生成装置の構成を示すブロック図である。図２は、アナログ放送信号を減衰させるために用いる、時間の関数としての重み付け信号を示すグラフである。図３は、Ｎ個の訂正信号部を備える、各段のサイマルキャスト信号生成器の構成を示すブロック図である。図４は、サイマルキャスト放送信号用の、下側波帯、及び上側波帯の変調を示すグラフである。
【００２１】
図１は、本発明を適用したサイマルキャスト信号生成部のブロック図である。大きなＡＭピーク振幅又は大きなＤＲＭピーク振幅による不安定なサイマルキャスト放送信号が生じるのを避けるために、アナログ放送信号１及びデジタル放送信号２に対して、安定した信号を得るための必要な減衰が行われる。この目的のために、本発明は、反復処理を提案するものであり、幾つかの他の減衰ステージ、すなわち初期減衰ステージ３及び追加の減衰ステージ４が備わっている。
【００２２】
初期減衰ステージ３は、サイマルキャスト信号生成器５及びピーク減衰部７とを有する。アナログ放送信号１及びデジタル放送信号２の双方が、サイマルキャスト信号生成器５に供給される。サイマルキャスト信号生成器５は、アナログ放送信号１及びデジタル放送信号２を、サイマルキャスト信号に変換する。デジタル放送信号２が、サイマルキャスト信号の上側波帯を変調し、それによって、下側波帯が訂正信号に基づいて変調される。サイマルキャスト信号が生成されるときに発生する誤りは、誤り信号６で示される。特に、信号振幅が大きい場合に、サイマルキャスト信号は不安定になる。この場合、誤り信号６の値は大きくなると推定される。
【００２３】
本発明によれば、サイマルキャスト信号は、アナログ放送信号１及び／又はデジタル放送信号２を減衰させることによって、安定化される。誤り信号６は、ピーク減衰部７へ送られる。減衰度は、誤り信号６の大きさの程度に基づいて、選択される。あるいは、誤り信号６の程度とは別に、一定の減衰度を選択することもできる。誤り信号６の程度が小さい場合、減衰は全く行われない。誤り信号６の程度が大きい場合、アナログ放送信号１又はデジタル放送信号２の一方（又は双方）が、減衰される。誤り信号６は、所定の閾値と比較され、誤り信号６がこの閾値を超えた場合は、アナログ放送１及びデジタル放送信号２の少なくとも一方を減衰する必要がある。図１に示す具体例では、アナログ放送信号１のみが減衰され、デジタル放送信号２は、全く減衰されない。通常は、アナログ信号を減衰することで充分な結果が得られる。ＤＲＭ信号のピーク振幅が高い場合には、ＤＲＭ信号のピーク振幅を、アナログ信号について上述したのと同じ方法で減衰させることができる。
【００２４】
ピーク減衰部７は、重み付け信号８を生成し、これは乗算器１１に送られる。遅延素子１０によって遅延されたアナログ信号９も、乗算器１１に送られる。乗算器１１では、遅延されたアナログ信号９は、重み付け信号８で乗算され、その結果減衰されたアナログ信号１２が得られる。
【００２５】
重み付け信号８を、図２に示す。通常は、重み付け信号８は、振幅１を有している。時刻ｔ＝０．２５秒の時、ピーク減衰部７は、誤り信号６が、ある閾値を超えていることを検出している。重み付け信号８は、時刻０．２５秒で、利得を１から０．９に減らす。そのようにして、ＡＭ復調サイマルキャスト信号中に歪みを発生させた音声信号のピーク振幅は減衰され、減衰された信号は、次の安定したサイマルキャスト信号を得るために使用される。
【００２６】
サイマルキャスト信号生成器５及びピーク減衰部７内では、誤り信号６を測定し、重み付け信号８を供給するために少々処理時間がかかる。したがって、アナログ放送信号１及びデジタル放送信号２の双方が、この時間遅延を補填するために遅延される。遅延素子１０は、アナログ放送信号１を、遅延されたアナログ信号９に変換し、遅延素子１３は、デジタル放送信号２を、遅延されたデジタル信号１４に変換する。
【００２７】
次に、減衰されたアナログ信号１２及び遅延されたデジタル信号１４は、Ｍ個の追加減衰ステージ４へ送られる。ここで、Ｍは、０（零）を含む正の整数である。減衰されたアナログ信号１２及び遅延されたデジタル信号１４の双方が、第１の追加減衰ステージの一部であるサイマルキャスト信号生成器１５１に入力される。減衰されたアナログ信号１２及び遅延されたデジタル信号１４の組から、このサイマルキャスト信号生成器１５１は、サイマルキャスト信号及び対応する誤り信号１６１を生成する。この誤り信号１６１は、アナログ信号１２及びデジタル信号１４を、１つのサイマルキャスト信号に統合することが可能であった否かを示す。誤り信号１６１は、第１の追加減衰ステージのピーク減衰部１７１へ送られ、ピーク減衰部１７１は、重み付け信号１８１を乗算器１９１に供給する。減衰されたアナログ信号１２は、遅延信号２１１を得るために、遅延素子２０１に入力される。遅延信号２１１は、乗算器１９１に供給され、乗算器１９１は、遅延信号２１１を重み付け関数１８１で乗算する。減衰度については、誤り信号１６１の大きさの程度に基づいて選択されるか、又は、固定減衰度が選択される。乗算の結果、さらに減衰されたアナログ信号２２１が得られ、これは、その次の減衰ステージへ送られる。
【００２８】
遅延されたデジタル信号１４もまた遅延素子２３１へ送られ、遅延されたデジタル信号２４１が得られる。さらに減衰されたアナログ信号２２１及び遅延されたデジタル信号２４１は、その次の減衰ステージへ渡され、減衰手順が反復して継続される。
【００２９】
最終の減衰ステージ（Ｍ番目の追加減衰ステージ）では、減衰されたアナログ信号２５及び遅延されたデジタル信号２６が生成される。これら２つの信号２５，２６は、最終的サイマルキャスト信号生成器２７へ送られ、この最終的サイマルキャスト信号生成器２７は、最終的サイマルキャスト送信信号２８を確定する。
【００３０】
図３は、サイマルキャスト信号生成器の具体的な構成を示すブロック図である。サイマルキャスト信号生成器の技術的な実施は、上述した引用の特許文献１（欧州特許出願ＥＰ−Ａ−０１１１８９０８．１（ＤＲＭ／ＡＭサイマルキャスト））に開示されている。サイマルキャスト信号生成器５及び１５１乃至１５Ｍは、図３に示すように実施することができる。サイマルキャスト信号は、第１の変調器３１及び第２の変調器３２で生成される。第１の変調器３１は、デジタル送信信号を、送信チャンネルの搬送波の一方の側波帯（ここでは、上側波帯ＵＳＢ）に変調し、第２の変調器３２は、訂正信号Ｃを、送信チャンネルの搬送波の他方の側波帯（ここでは、下側波帯ＬＳＢ）に変調する。その結果生じる信号を、図４に示しており、この図４には２つの異なる側波帯が示されている。
【００３１】
サイマルキャスト信号を生成するために、第１の加算器３３は、双方の側波帯及び双方の側波帯の中心にある搬送波信号を加算する。この搬送波信号は、搬送波信号生成器３４により生成される。
【００３２】
第１の変調器３１に供給されるデジタル送信信号は、訂正信号Ｃに時間的に対応する、すなわち訂正信号Ｃの生成に合わせるために、遅延される。
【００３３】
図３に示すサイマルキャスト信号生成器は、訂正信号生成器をさらに具備し、この場合、デジタル信号も遅延する。この訂正信号生成器は、上述のデジタル送信信号を上述の一方の側波帯（すなわち、ここでは、上側波帯）に変調する第３の変調器３５と、アナログ送信信号を他方の側波帯（すなわち、ここでは、下側波帯）に変調する第４の変調器３６と、双方の側波帯及び双方の側波帯の中心で第２の搬送波信号生成器３８により生成される搬送信号を加算する第２の加算器３７とを具備する。さらに、訂正信号生成器は、このように生成されたサイマルキャスト信号を包絡線復調する第１の包絡線復調器３９と、処理時間に応じて、アナログ送信信号を遅延させ、復調された各サイマルキャスト信号を生成する第１の遅延素子４０と、包絡線復調されたサイマルキャスト信号を、遅延されたアナログ送信信号から減算することによって、誤り信号を生成する第１の減算器４１と、時間で変化する変数又は時間で変化しない変数で、誤り信号を重み付けする第１の乗算器４２と、重み付けされた誤り信号を、遅延されたアナログ送信信号に加算することによって、訂正信号Ｃ又は中間訂正信号を生成する第３の加算器４３と、各サイマルキャスト信号を生成及び復調するために必要な処理時間に応じて、デジタル送信信号を遅延させる第２の遅延素子４４とを具備する。
【００３４】
上述のように、１つの訂正信号部とみなすことができる訂正信号生成器のこれらの素子は、訂正信号又は中間訂正信号のいずれかを生成する。この１つの訂正信号部で生成された訂正信号は、通常は、大まかな推定であるので、必ずしも、アナログ送信信号への適切な送信とはなるわけではない。しかしながら、充分な品質を持っているともいえる。この品質が充分ではない場合には、第３の加算器４３で生成された信号が、アナログ送信信号が処理されたのと同様に、後続の同様なＮ個の訂正信号部によって、処理される。この場合、デジタル送信信号も、それに従って遅延される。このような処理の繰り返しが、すなわち、後続の同様なＮ個の訂正信号部によりＮ回行われる。ここで、Ｎは、０（零）を含む正の整数であり、且つ、Ｎ番目の訂正信号部の後で確定された訂正信号の所望する精度に従って、確定される。
【００３５】
【発明の効果】
上述のように、本発明によれば、アナログ及びデジタル信号の信号強度を大きくして、アナログ及びデジタル放送サービスの受信可能地域を広くすることができる。
【図面の簡単な説明】
【図１】（Ｍ＋１）個の減衰ステージを備えるピーク減衰型サイマルキャスト信号生成装置の具体的な構成を示すブロック図である。
【図２】アナログ放送信号を減衰させるために用いる、時間の関数としての重み付け信号を示すグラフである。
【図３】Ｎ個の訂正信号部を備える、各段のサイマルキャスト信号生成器の具体的な構成を示すブロック図である。
【図４】サイマルキャスト放送信号用の下側波帯及び上側波帯の変調を示すグラフである。
【符号の説明】
１　アナログ放送信号、２　デジタル放送信号、３　初期減衰ステージ、４　追加の減衰ステージ、５　サイマルキャスト信号生成器、６　誤り信号、７　ピーク減衰部、８　重み付け信号、９　遅延されたアナログ信号、１０　遅延素子、１１　乗算器、１２　減衰されたアナログ信号、１３　遅延素子、１４　遅延されたデジタル信号、２５　減衰されたアナログ信号、２６　遅延されたデジタル信号、２７　最終的サイマルキャスト信号生成器、２８　最終的サイマルキャスト送信信号
【図１】
2004007668.tif 000003
【図２】
2004007668.tif 000004
【図３】
2004007668.tif 000005
【図４】
2004007668.tif 000006